【手続補正書】
【提出日】平成22年8月20日(2010.8.20)
【手続補正１】
【補正対象書類名】明細書
【補正対象項目名】０１６５
【補正方法】変更
【補正の内容】
【０１６５】
表１４のデータから、本発明の実施例１２〜１４は、添加剤としてフルオロポリマーを有していない対照と比較して清浄性が改善されていたことが分かる。
本発明は以下の実施の態様を含むものである。
１．（ｉ）（ａ）２，４−トルエンジイソシアネート、２，６−トルエンジイソシアネート、ジフェニルメタン４，４’−ジイソシアネート、ジフェニルメタン２，４’−ジイソシアネート、３−イソシアナトメチル−３，４，４−トリメチルシクロヘキシルイソシアネート、ビス−（４−イソシアナトシクロヘキシル）メタン、並びに式（ＩＩａ）、（ＩＩｂ）、（ＩＩｃ）および（ＩＩｄ）：
【化１】
2010509481.tif 000001
のジイソシアネート３量体からなる群から選択される、少なくとも１つのジイソシアネート、ポリイソシアネート、又はこれらの混合物と、
（ｂ）式（Ｉ）：
Ｒｆ（ＣＨ２ＣＦ２）ｐ（ＣＨ２ＣＨ２）ｑ（Ｒ１）ｒ−ＸＨ
式（Ｉ）
｛式中、
ｐおよびｑがそれぞれ独立して１〜３の整数であり、
ｒが０又は１であり、
Ｘが−Ｏ−、−ＮＨ−又は−Ｓ−であり、
Ｒ１が、−Ｓ（ＣＨ２）ｎ−、
【化２】
2010509481.tif 000002
（ｎが２〜４の整数であり、
ｓが１〜５０の整数であり、
Ｒ２、Ｒ３およびＲ４が、それぞれ独立して水素、又は炭素数１〜６のアルキル基である）
からなる群から選択される２価の基であり、
Ｒｆが、炭素数１〜６の直鎖又は分岐鎖パーフルオロアルキル基である｝
から選択される少なくとも１つのフッ素化化合物を反応させる工程、および
（ｉｉ）（ｃ）水、連結剤、又はこれらの混合物と反応させる工程、
によって調製される、少なくとも１つの尿素結合を有するポリマー。
２．Ｒｆの炭素数が４〜６であり、ｐおよびｑがそれぞれ１であり、ｒが０である、前記１．に記載のポリマー。
３．前記フッ素化化合物が、前記イソシアネート基の約５ｍｏｌ％〜約９０ｍｏｌ％と反応する、前記１．に記載のポリマー。
４．工程（ｉ）の反応が、更に、（ｄ）式、
Ｒ１０−（Ｒ１１）ｋ−ＹＨ、
｛式中、
Ｒ１０は、Ｃ１〜Ｃ１８アルキル基、Ｃ１〜Ｃ１８ω−アルケニル基、又はＣ１〜Ｃ１８ω−アルケノイル基であり
Ｒ１１は、
【化３】
2010509481.tif 000003
（式中、
Ｒ２、Ｒ３およびＲ４は、それぞれ独立して、Ｈ又はＣ１〜Ｃ６アルキルであり、
ｓは１〜５０の整数である）
からなる群から選択され、
ｋは０又は１であり、
Ｙは、−Ｏ−、−Ｓ−、又は−ＮＲ５−（式中、Ｒ５はＨ又は炭素数１〜６のアルキルである）である｝
からなる群から選択される非フッ素化有機化合物を含む、前記１．に記載のポリマー。
５．前記式Ｒ１０−（Ｒ１１）ｋ−ＹＨの化合物が、式（ＩＩＩ）：
【化４】
2010509481.tif 000004
（式中、
Ｒは、約１〜約６個の脂肪族又は脂環式炭素原子を含有する１価の炭化水素基であり、
ｍは正の整数であり、ｍ１およびｍ２は、それぞれ独立して正の整数又は０である）
の少なくとも１つのヒドロキシ末端ポリエーテルを含む親水性の水和可能な物質を含み、
前記ポリエーテルの重量平均分子量が約２０００以下である、
前記４．に記載のポリマー。
６．前記非フッ素化化合物が、前記イソシアネート基の約０．１ｍｏｌ％〜約６０ｍｏｌ％と反応する、前記４．に記載のポリマー。
７．Ａ）ノーアイロン、アイロン掛けし易さ、収縮抑制、しわ防止、パーマネントプレス、水分調節、柔軟性、強度、スリップ防止、帯電防止、スナッグ防止、ピリング防止、染みをはじく性質、染み除去性、汚れをはじく性質、汚れ除去性、撥水性、撥油性、耐汚染性、臭気抑制、抗微生物、および日焼け防止からなる群から選択される、少なくとも１つの表面効果を付与する１つ以上の薬剤、又はＢ）界面活性剤、ｐＨ調整剤、架橋剤、湿潤剤、ブロックイソシアネート、ワックスエクステンダ、若しくは炭化水素エクステンダ、又はＣ）これらの混合物を更に含む、前記１．に記載のポリマー。
８．基材を前記１．に記載のポリマーと接触させることを含む、基材に撥水性、撥アルコール性、および撥油性、染み除去性、親水性染み除去性、および清浄性を付与する方法。
９．前記１．に記載のポリマーが塗布された基材。
１０．前記１．に記載のポリマーと基材を接触させることを含む、基材に防汚性を付与する方法であって、
但し、Ｒｆの炭素数が１〜４であり、前記少なくとも１つの有機ジイソシアネート、ポリイソシアネート、又はこれらの混合物が、２，４−トルエンジイソシアネート、２，６−トルエンジイソシアネート、ジフェニルメタン４，４’−ジイソシアネート、ジフェニルメタン２，４’−ジイソシアネート、３−イソシアナトメチル−３，４，４−トリメチルシクロヘキシルイソシアネート、ビス−（４−イソシアナトシクロヘキシル）メタン、並びに式（ＩＩａ）、（ＩＩｂ）、（ＩＩｃ）および（ＩＩｄ）：
【化５】
2010509481.tif 000005
のジイソシアネート３量体からなる群から選択される１つ以上の環状ジイソシアネートを含む、方法。
【手続補正２】
【補正対象書類名】特許請求の範囲
【補正対象項目名】全文
【補正方法】変更
【補正の内容】
【特許請求の範囲】
【請求項１】
（ｉ）（ａ）２，４−トルエンジイソシアネート、２，６−トルエンジイソシアネート、ジフェニルメタン４，４’−ジイソシアネート、ジフェニルメタン２，４’−ジイソシアネート、３−イソシアナトメチル−３，４，４−トリメチルシクロヘキシルイソシアネート、ビス−（４−イソシアナトシクロヘキシル）メタン、並びに式（ＩＩａ）、（ＩＩｂ）、（ＩＩｃ）および（ＩＩｄ）：
【化６】
2010509481.tif 000006
のジイソシアネート３量体からなる群から選択される、少なくとも１つのジイソシアネート、ポリイソシアネート、又はこれらの混合物と、
（ｂ）式（Ｉ）：
Ｒｆ（ＣＨ２ＣＦ２）ｐ（ＣＨ２ＣＨ２）ｑ（Ｒ１）ｒ−ＸＨ
式（Ｉ）
｛式中、
ｐおよびｑがそれぞれ独立して１〜３の整数であり、
ｒが０又は１であり、
Ｘが−Ｏ−、−ＮＨ−又は−Ｓ−であり、
Ｒ１が、−Ｓ（ＣＨ２）ｎ−、
【化７】
2010509481.tif 000007
（ｎが２〜４の整数であり、
ｓが１〜５０の整数であり、
Ｒ２、Ｒ３およびＲ４が、それぞれ独立して水素、又は炭素数１〜６のアルキル基である）
からなる群から選択される２価の基であり、
Ｒｆが、炭素数１〜６の直鎖又は分岐鎖パーフルオロアルキル基である｝
から選択される少なくとも１つのフッ素化化合物を反応させる工程、および
（ｉｉ）（ｃ）水、連結剤、又はこれらの混合物と反応させる工程、
によって調製される、少なくとも１つの尿素結合を有するポリマー。
【請求項２】
基材を請求項１に記載のポリマーと接触させることを含む、基材に撥水性、撥アルコール性、および撥油性、染み除去性、親水性染み除去性、および清浄性を付与する方法。
【請求項３】
請求項１に記載のポリマーが塗布された基材。
【請求項４】
請求項１に記載のポリマーと基材を接触させることを含む、基材に防汚性を付与する方法であって、
但し、Ｒｆの炭素数が１〜４であり、前記少なくとも１つの有機ジイソシアネート、ポリイソシアネート、又はこれらの混合物が、２，４−トルエンジイソシアネート、２，６−トルエンジイソシアネート、ジフェニルメタン４，４’−ジイソシアネート、ジフェニルメタン２，４’−ジイソシアネート、３−イソシアナトメチル−３，４，４−トリメチルシクロヘキシルイソシアネート、ビス−（４−イソシアナトシクロヘキシル）メタン、並びに式（ＩＩａ）、（ＩＩｂ）、（ＩＩｃ）および（ＩＩｄ）：
【化８】
2010509481.tif 000008
のジイソシアネート３量体からなる群から選択される１つ以上の環状ジイソシアネートを含む、方法。